(57)【要約】      （修正有）【課題】水道水等の配管やシリンダー容器に、強力な渦巻きが発生出来る渦巻き式水質改善装置を開発・提供する。【解決手段】水道管内、又はシリンダー容器内に、金属製、又はＡＢＳ等の材質の羽根をスクリュー形状及びスパイラル形状に形成し、装着したもので、水道水等の水を、スパイラル羽根内蔵式円筒形シリンダー内を通過させて水質改善を行う装置であって、該円筒形シリンダー内にスクリュー羽根３’及びスパイラル羽根３を組み合わせて設け、渦巻き状の水流にさせて、水質改善をする事を特徴とする渦巻き式水質改善装置。【選択図】図１
0003104454.tif 000002
【実用新案登録請求の範囲】
【請求項１】
水道水等の水を、スクリュー羽根及びスパイラル羽根内蔵式円筒形シリンダー内を通過させて水質改善を行う装置であって、該円筒形シリンダー（１）内両端部にスクリュー羽根（３’）（３’）をそれぞれ同一方向に設け、且つ、該各スクリュー羽根（３’）（３’）の間にスパイラル羽根（３）を設け、渦巻き状の水流にさせて、水質改善をする事を特徴とする渦巻き式水質改善装置。
【請求項２】
金属製、又はＡＢＳ樹脂製のスクリュー形状のスクリュー羽根（３’）、或いは軸部（２）にスパイラル形状の羽根を設けたスパイラル羽根（３）をそれぞれ同軸に組み合わせて設け、渦巻きを起こす事を特徴とする渦巻き式水質改善装置。
【請求項３】
金属製、又はＡＢＳ樹脂製等の材質のシリンダー（１）容器内に挿入して使用する事を特徴とする請求項１又は２記載の渦巻き式水質改善装置。
【請求項４】
水がスクリュー羽根（３’）とスパイラル羽根（３）に直接接触する事により、水が渦回転を起こす事を特徴とする請求項１〜３記載の渦巻き式水質改善装置。
【考案の詳細な説明】
【技術分野】
【０００１】
この考案は、水道管等のパイプ内を流れる水等を、渦巻き回転させて、その水質を改善する渦巻き式水質改善装置に関するものである。
【背景技術】
【０００２】
従来、水道水等の水質を改善する器具として、活性炭で濾過させる方法や電気分解によって水分子を分解させる方法等が知られている。そして、最近では、磁石を利用して、磁力線を作用させて水質の改善を図る器具が実用化されている。（例えば、特許文献１〜３参照。）
【特許文献１】特開２０００−３０１１５７
【特許文献２】特開２００１−３１０１８３
【特許文献３】登録実用新案第３０６２６９２号
【０００３】
しかし、これらの器具機械は、長期の使用が難しく、又、磁力線についても、磁石の強さを示すガウスの低いものや、リング状の内側を使用するものは、減磁作用があり、水質改善の効果に欠ける等の問題があった。
【考案の開示】
【考案が解決しようとする課題】
【０００４】
そこで、上記問題を解決する為に、水道水等の配管やシリンダー容器に、強力な渦巻きが発生出来る渦巻き式水質改善装置を開発・提供する事にある。
【課題を解決するための手段】
【０００５】
この課題を解決する為の手段として、この考案は水道管内、又はシリンダー容器内に、金属製、又はＡＢＳ樹脂等の材質の羽根をスクリュー形状とスパイラル形状に形成し、交互に組み合わせて装着したものである。
【考案の効果】
【０００６】
この考案の効果として、この考案の渦巻き式水質改善装置を使用した水道水のＮＭＲ値測定結果、数値が１４２．１６Ｈｚ〜８７．０８Ｈｚになり、５５．０８Ｈｚの減衰効果がある。
【０００７】
又、ＮＭＲ値は、１９９０年に美味しい水・健康に良い水を科学的に示した、日本電子（東京）の松下和弘氏研究グループが、ＮＭＲ核磁気共鳴装置を使用して、水を分子レベルで測定した結果、水（Ｈ２Ｏ）は本来１個の酸素分子と２個の水素分子で構成されているが、実際には、５個以上の分子が集団を作っている事を解明した。
【０００８】
そして、味覚で美味しく感じるのは、ＮＭＲ核磁気共鳴装置で測定すると、分子集団の大きさに応じた信号（単位はＨｚ）が出ており、数値が小さい程、分子集団は小さい。従って、味覚細胞の受容体の大きさに近く成ると、抵抗無く受け入れられる事で美味しくなると決定される。
【０００９】
以上の結果、通常の水道水は１４２．１６Ｈｚで、渦巻き式水質改善通過水は、８７．０８Ｈｚと成っている事から、この考案の渦巻き式水質改善装置は、水の分子集団を小さくさせて、浸透性が高まり、水道配管内のスケール等を溶解させたり、水を美味しくさせる効果が有る。
【考案を実施するための最良の形態】
【００１０】
この考案を実施する為の最良の形態としては、強力な渦巻きを発生させる為に、水道管内、又はシリンダー容器内に、金属製、又はＡＢＳ樹脂等の材質の羽根をスクリュー形状及びスパイラル形状に形成・装着し、渦巻きの最後尾では中心に向かって渦を起こす事が必要である。
【実施例１】
【００１１】
そこで、この考案の一実施例を図１〜図３に基づいて詳述すると、水道水等の水を、スクリュー羽根及びスパイラル羽根内蔵式円筒形シリンダー内を通過させて水質改善を行う装置であって、該円筒形シリンダー（１）内の両端部にスクリュー羽根（３’）（３’）をそれぞれ同一方向に設け、且つ、該各スクリュー羽根（３’）（３’）の間にスパイラル羽根（３）を設け、渦巻き状の水流にさせて、水質改善をする事を特徴とする渦巻き式水質改善装置から構成される。
【００１２】
又、金属製、又はＡＢＳ樹脂製のスクリュー形状のスクリュー羽根（３’）、或いは軸部（２）にスパイラル形状の羽根を設けたスパイラル羽根（３）をそれぞれ同軸に組み合わせて設け、渦巻きを起こす事を特徴とする渦巻き式水質改善装置から構成される。
【００１３】
金属製、又はＡＢＳ樹脂製等の材質のシリンダー（１）容器内に挿入して使用する事を特徴とする渦巻き式水質改善装置から構成される。
【００１４】
又、水がスクリュー羽根（３’）とスパイラル羽根（３）に直接接触する事により、水が渦回転を起こす事を特徴とする渦巻き式水質改善装置から構成される。
【００１５】
次に、この考案の製作方法について、具体的に説明すると、水道配管内、又はシリンダー容器内に金属製、又はＡＢＳ樹脂等の材質の羽根の角度は１０度〜８０度の間において捻る。
【００１６】
又、軸部（２）に沿って羽根を付けていく場合は、この考案のスパイラル羽根（３）が片方から水が当たり、羽根に沿って水が回転しながら吐水していく為に、軸部（２）に沿って装着した羽根は少なくとも１８０度以上の回転を持って装着する。
【００１７】
又、スパイラル式の羽根車を使用する場合は、スクリューの様な羽根を少なくとも３枚以上使用し、上記角度に捻りを入れる。
【００１８】
平成１４年１１月２５日、広島県東部工業試験場（材料技術部）において、水道水と本発明のスパイラル式水質改善装置を使用して、広島県福山市の水道水にて水の分子集団の違いをＮＭＲ（核磁気共鳴装置）にて比較実験した。
【００１９】
試験項目：水道水及び渦巻き式水質改善装置通過水
試験数量：３件
試験項目：ＮＭＲ核磁気共鳴装置による水のＮＭＲ値の測定
試験方法：１７０核のＮＭＲスペクトル測定法
ＪＮＭ−ＬＡ４００（日本電子株式会社製）
測定温度：１８．１℃
測定周波数：５４．１ＭＨｚ
測定モード：ＳＩＮＧＬＥ／ＮＯＮ
積算階数：１０００回
水素観測周波数：４００ＭＨｚ
磁場強度：９．４Ｔ
結果：水道水=１４２．１６Ｈｚ
渦巻き式水質改善装置通過水=８７．０８Ｈｚ（−５５．０８Ｈｚ）
【産業上の利用可能性】
【００２０】
この考案の渦巻き式水質改善装置は、水道管内、又はシリンダー容器内に、金属製、又はＡＢＳ樹脂等の材質の羽根をスパイラル状に形成・装着する事で水質改善し、美味しく、健康に良い水を作り出す事で、広範囲の市場に寄与する点で産業上の利用可能性を有する。
【図面の簡単な説明】
【００２１】
【図１】この考案の一実施例を示し、正面視断面図である。
【図２】この考案の一実施例を示し、図１のａ−ａ矢視断面図である。
【図３】この考案の一実施例を示し、図１のｂ−ｂ矢視断面図である。
【符号の説明】
【００２２】
１  円筒形シリンダー
２  軸部
３  スパイラル羽根
３’  スクリュー羽根
【図１】
0003104454.tif 000003
【図２】
0003104454.tif 000004
【図３】
0003104454.tif 000005